(57)【要約】【課題】多値データ信号の直流成分を制御するために付加した冗長データの再生時の誤りの影響を抑え、テストデータ及び所定の変換ルールに従って変換した多値データを記録する時の多値データ信号の直流成分制御を行えるようにする。【解決手段】２値データを多値データ信号に変換するとき、第１変換部１と第２変換部２でそれぞれ同一の２値データ系列を異なる２種類の変換方法で多値データ信号に変換し、第１直流成分算出部３で第１変換部１の出力した多値データ信号の直流成分を、第２直流成分算出部４で第２変換部２の出力した多値データ信号の直流成分をそれぞれ算出し、比較部５と第１セレクタ６によって直流成分が０に近い方の多値データ信号を選択し、第２セレクタ７によってその選択した多値データ信号に２種類の変換方法を区別するデータ信号を付加して出力する。【選択図】      図１
2004272979.tif 000002
【特許請求の範囲】
【請求項１】
２値データを多値データ信号に変換するとき、同一の２値データ系列を異なる２種類の変換方法で多値データ信号に変換し、その２種類の多値データ信号の直流成分を算出し、その直流成分が０に近い方の多値データ信号に前記２種類の変換方法を区別するデータ信号を付加することを特徴とする多値データ信号の直流成分制御方法。
【請求項２】
請求項１記載の多値データ信号の直流成分制御方法において、前記２種類の変換方法を区別するデータ信号が、前記多値データ信号の最大値と最小値であることを特徴とする多値データ信号の直流成分制御方法。
【請求項３】
複数個の多値データからなる多値データ系列を多値データ信号に変換するとき、所定量の多値データ毎に対応する多値データ信号の直流成分を算出し、その直流成分が０に近づくように前記所定量の多値データ毎に挿入する１個以上の多値データの値を決定し、その決定した１個以上の多値データを前記所定量の多値データ毎に挿入することを特徴とする多値データ信号の直流成分制御方法。
【請求項４】
請求項１乃至３のいずれか一項に記載の多値データ信号の直流成分制御方法において、前記多値データ信号の直流成分を、隣接する多値データ信号への影響成分を加算することによって算出することを特徴とする多値データ信号の直流成分制御方法。
【請求項５】
２値データを多値データ信号に変換する第１の変換手段と、該第１の変換手段とは異なる種類の変換方法で多値データ信号を変換する第２の変換手段と、前記第１の変換手段と前記第２の変換手段によってそれぞれ同一の２値データ系列を変換した多値データ信号の直流成分を算出する直流成分算出手段と、該直流成分算出手段によって算出された直流成分が０に近い方の多値データ信号を選択して出力する選択出力手段と、該選択出力手段によって出力された多値データ信号に前記第１の変換手段と前記第２の変換手段のいずれによって変換されたかを区別するデータ信号を付加する区別データ信号付加手段とを備えたことを特徴とする多値データ信号の直流成分制御装置。
【請求項６】
請求項５記載の多値データ信号の直流成分制御装置において、前記区別データ信号付加手段は、前記選択出力手段によって出力された多値データ信号に前記第１の変換手段と前記第２の変換手段のいずれによって変換されたかを区別するデータ信号として前記多値データの最大値と最小値を付加する手段であることを特徴とする多値データ信号の直流成分制御装置。
【請求項７】
複数個の多値データからなる多値データ系列の所定量の多値データ毎に対応する多値データ信号の直流成分を算出する直流成分算出手段と、該直流成分算出手段によって算出した直流成分が０に近づくように前記所定量の多値データ毎に挿入する１個以上の多値データの値を決定する挿入多値データ決定手段と、該挿入多値データ決定手段によって決定した１個以上の多値データを前記所定量の多値データ毎に挿入する多値データ挿入手段とを備えたことを特徴とする多値データ信号の直流成分制御装置。
【請求項８】
請求項５乃至７のいずれか一項に記載の多値データ信号の直流成分制御装置において、前記直流成分算出手段は、前記多値データ信号の直流成分を隣接する多値データへの影響成分を加算することによって算出する手段であることを特徴とする多値データ信号の直流成分制御装置。
【発明の詳細な説明】
【０００１】
【発明の属する技術分野】
この発明は、光ディスク等の情報記録媒体に多値データを記録する時の多値データ信号の直流成分を制御する多値データ信号の直流成分制御方法及び光ディスク装置等の情報記憶装置に搭載される情報記録媒体に記録する多値データ信号の直流成分を制御する直流成分制御装置とに関する。
【０００２】
【従来の技術】
従来は、多値データを変調して情報記録媒体等に記録する時、記録信号の直流成分を０に近づけるために冗長な多値データを追加してから変調しているが、複数通りの冗長多値データを追加した場合の変調後の直流成分を算出し、最も直流成分が０に近くなる場合の冗長多値データを採用している（例えば、特許文献１参照）。
【０００３】
【特許文献１】
国際公開第ＷＯ  ０１／５８１０２  Ａ１号パンフレット
【０００４】
【発明が解決しようとする課題】
しかしながら、従来の技術では、冗長な多値データを追加してから変調（差分符号化）しているため、データ再生時に冗長データが誤ると、その誤りが後のデータにも影響を与えるという問題があった。
そこで、次のような技術が提案されている。
まず、光ディスク上の隣接データ間の距離が短いため、信号再生時にレーザ光スポット内に複数のマークが含まれる事によって生ずる符号間干渉をデータ間の相関と見なして、パターン認識によって多値データを検出する。事前に、連続３点の多値データの全組合せを記録したテストデータを再生して、パターン認識用のテーブルを作成する。また、多値データを検出する時は、連続３点のデータを入力し、テーブル上のパターンに最も近いパターンを検索して、多値データの判定結果とする。
【０００５】
さらに、２値データを多値データに変換する時に以下の処理を行っておく。
複数個の多値データを１セットとして扱い、各多値データの上位ビットには２値データをそのまま配置し、下位１ビットに所定の変換ルールによるデータを配置する。多値データの再生時には、下位１ビットが誤りやすいため、所定の変換ルールに従ったデータである事を利用して多値データを判定する。したがって、所定の変換ルールにより１ビットの冗長データが発生するが、多値データの判定精度は向上する。
上記の２通りの多値データの判定方法を組合せとパターン認識によって検出した多値データの下位１ビットが所定の変換ルールに従っていれば、パターン認識によって検出した多値データを最終判定結果として出力する。一方、所定の変換ルールに従っていなければ、所定の変換ルールに従ったデータである事を利用した判定結果を最終判定結果として出力する。
【０００６】
しかし、上述のような技術では、テストデータ及び所定の変換ルールに従って変換した多値データを情報記録媒体に記録する時に、直流成分の制御が行われていないので、データ再生時に再生信号が直流成分を持ち、サーボ制御に悪影響を与えるという問題が生じる。
この発明は上記の課題を解決するためになされたものであり、多値データ信号の直流成分を制御するために付加した冗長データの再生時の誤りの影響を抑え、テストデータ及び所定の変換ルールに従って変換した多値データを記録する時の多値データ信号の直流成分制御を行えるようにすることを目的とする。
【０００７】
【課題を解決するための手段】
この発明は上記の目的を達成するため、次の（１）〜（４）の多値データ信号の直流成分制御方法を提供する。
（１）２値データを多値データ信号に変換するとき、同一の２値データ系列を異なる２種類の変換方法で多値データ信号に変換し、その２種類の多値データ信号の直流成分を算出し、その直流成分が０に近い方の多値データ信号に上記２種類の変換方法を区別するデータ信号を付加する多値データ信号の直流成分制御方法。
（２）（１）の多値データ信号の直流成分制御方法において、上記２種類の変換方法を区別するデータ信号を、上記多値データ信号の最大値と最小値にした多値データ信号の直流成分制御方法。
【０００８】
（３）複数個の多値データからなる多値データ系列を多値データ信号に変換するとき、所定量の多値データ毎に対応する多値データ信号の直流成分を算出し、その直流成分が０に近づくように上記所定量の多値データ毎に挿入する１個以上の多値データの値を決定し、その決定した１個以上の多値データを上記所定量の多値データ毎に挿入する多値データ信号の直流成分制御方法。
（４）（１）〜（３）のいずれかの多値データ信号の直流成分制御方法において、上記多値データ信号の直流成分を、隣接する多値データ信号への影響成分を加算することによって算出する多値データ信号の直流成分制御方法。
【０００９】
さらに、次の（５）〜（８）の多値データ信号の直流成分制御装置も提供する。
（５）２値データを多値データ信号に変換する第１の変換手段と、その第１の変換手段とは異なる種類の変換方法で多値データ信号を変換する第２の変換手段と、上記第１の変換手段と上記第２の変換手段によってそれぞれ同一の２値データ系列を変換した多値データ信号の直流成分を算出する直流成分算出手段と、その直流成分算出手段によって算出された直流成分が０に近い方の多値データ信号を選択して出力する選択出力手段と、その選択出力手段によって出力された多値データ信号に上記第１の変換手段と上記第２の変換手段のいずれによって変換されたかを区別するデータ信号を付加する区別データ信号付加手段を備えた多値データ信号の直流成分制御装置。
【００１０】
（６）（５）の多値データ信号の直流成分制御装置において、上記区別データ信号付加手段を、上記選択出力手段によって出力された多値データ信号に上記第１の変換手段と上記第２の変換手段のいずれによって変換されたかを区別するデータ信号として上記多値データの最大値と最小値を付加する手段にした多値データ信号の直流成分制御装置。
【００１１】
（７）複数個の多値データからなる多値データ系列の所定量の多値データ毎に対応する多値データ信号の直流成分を算出する直流成分算出手段と、その直流成分算出手段によって算出した直流成分が０に近づくように上記所定量の多値データ毎に挿入する１個以上の多値データの値を決定する挿入多値データ決定手段と、その挿入多値データ決定手段によって決定した１個以上の多値データを上記所定量の多値データ毎に挿入する多値データ挿入手段を備えた多値データ信号の直流成分制御装置。
（８）（５）〜（７）のいずれかの多値データ信号の直流成分制御装置において、上記直流成分算出手段を、上記多値データ信号の直流成分を隣接する多値データへの影響成分を加算することによって算出する手段にした多値データ信号の直流成分制御装置。
【００１２】
【発明の実施の形態】
以下、この発明の実施形態を図面に基づいて具体的に説明する。
図１は、この発明の第１実施形態である多値データ信号の直流成分制御装置の機能構成を示すブロック図であり、図２は、図１に示した第１変換部１と第２変換部２の回路構成例を示すブロック図であり、この直流成分制御装置はこの発明の請求項１，２，４，５，６，８に係る。
この多値データ信号の直流成分制御装置は、第１変換部１，第２変換部２，第１直流成分算出部３，第２直流成分算出部４，比較部５，第１セレクタ６，第２セレクタ７からなり、その各部は、コンピュータプログラムによるソフトウェアで実現可能である。
【００１３】
また、図２に示した第１〜第（ｎ−ｋ）セレクタＡ１１（ｎは２以上の整数，ｋは１以上且つｎ＞ｋである整数），回路で上記第１変換部１と第２変換部２の部分を実現すれば、この直流成分制御装置を回路としても実現できる。
この回路は、（ｎ×ｍ−１）ビットのパラレルデータ（ｍは２以上の整数）を入力し、１シンボルをｎビットとするパラレルデータを出力する。入力データをｍビットずつ入力し、その内の１ビットを出力する第１〜第（ｎ−ｋ）の第１〜第（ｎ−ｋ）セレクタＡ１１と、その他の入力データの（ｍ×ｋ−１）ビットを（ｍ×ｋ）ビットに変換する変換回路１２と、その変換回路１２の（ｍ×ｋ）ビットの出力を入力し、その内の１ビットを出力するセレクタＢ１３が主な回路構成要素である。その他に、入出力データのタイミングに合わせて、各セレクタの切換を制御するための回路等が必要であるが、図示を省略した。
【００１４】
次に、この発明の参考となる動作例として、図２に示した回路における２値データを多値データに変換する動作例について説明する。一例として、ｍ＝２，ｎ＝３，ｋ＝２の場合について説明する。
入力の（ｎ×ｍ−１）＝（３×２−１）＝５ビットのパラレルデータをＭＳＢからｄ０，ｄ１，ｄ２，ｄ３，ｄ４とし、下位（ｍ×ｋ−１）＝（２×２−１）＝３ビット（ｄ２，ｄ３，ｄ４）を変換回路１２で（ｍ×ｋ）＝（２×２）＝４ビット（ｂ０，ｂ１，ｂ２，ｂ３）に変換する。変換回路１２は、半導体メモリや論理回路を使用して変換テーブルを実現してもよいし、「０」又は「１」を付加する簡単な変換であれば、配線の追加だけで実現できる。
【００１５】
その後、（ｎ−ｋ）＝１個の第１〜第（ｎ−ｋ）セレクタＡ１１とセレクタＢ１３の出力を順次切り換えて、２個のシンボル（Ｓ１、Ｓ２）にビットデータが配置されるようにして、３ビットのパラレルデータを出力する。
このように、簡単なハードウェア構成によって２値データを多値データに変換することができる。
【００１６】
すなわち、上記第１変換部１が上述の第１変換手段に、上記第２変換部２が上述の第２変換手段にそれぞれ相当する。また、上記第１直流成分算出部３と第２直流成分算出部４が上述の直流成分算出手段の機能を果たす。さらに、上記比較部５と第１セレクタ６が上述の選択出力手段の機能を、上記比較部５と第２セレクタ７が上述の区別データ信号付加手段の機能をそれぞれ果たす。
【００１７】
次に、この直流成分制御装置におけるこの発明の請求項１と５に係る機能及び動作について説明する。
この直流成分制御装置は、まず、同一の２値データ系列（２値データ）を上記第１変換部及び第２変換部による２種類の変換方法によって多値データに変換する。その変換方法には、公知技術を用いればよく、一例として、図４に示すように、３ビットからなる多値データ（８値：０〜７）の２個（Ｓ１，Ｓ２）を１セットとし、入力の５ビットの２値データ（ｄ０，ｄ１，ｄ２，ｄ３，ｄ４）のうちの２ビット（ｄ０，ｄ１）をＳ１とＳ２の最上位ビット（Ｍｏｓｔ  Ｓｉｇｎｉｆｉｃａｎｔ  Ｂｉｔ：ＭＳＢ）に配置する。
【００１８】
また、残りの３ビット（ｄ２，ｄ３，ｄ４）は、図３に示す変換テーブルを使用して、４ビットデータ（ｂ０，ｂ１，ｂ２，ｂ３）に変換する。そして、変換後の４ビットデータを、Ｓ１とＳ２の最下位ビット（Ｌｅａｓｔ  Ｓｉｇｎｉｆｉｃａｎｔ  Ｂｉｔ：ＬＳＢ）側に、図４に示すように配置する。
【００１９】
図３に示す変換テーブルは、（１）と（２）の２種類の変換テーブルを含んでいる。１セット毎に使用する変換テーブルを指定するパラメータとして、Ｐを定義する。一例として、Ｐ＝０の時は変換テーブル（１）を、Ｐ＝１の時は変換テーブル（２）を使用する。また、第１セットのＰの初期値をＰ（１）とし、第２セット以降の第ｉセットでのＰ（ｉ）を次の数１に示す演算式で定義する。そのｅｏｒは排他的論理和演算子である。
【００２０】
【数１】
Ｐ（ｉ）＝Ｐ（ｉ−１）ｅｏｒ（ｉ−１）セットのｂ１
【００２１】
図１の第１変換部１では、Ｐの初期値を０として、一例として８セット分の変換を行う。また、第２変換部２では、Ｐの初期値を１として、第１変換部１と同じ２値データを入力して８セット分の変換を行う。
次に、上記第１変換部１と第２変換部２で得られた２種類の変換結果の多値データ系列をそれぞれ上記第１直流成分算出部３と第２直流成分算出部４で多値データ信号として見た場合の直流成分を算出する。
以下に上記第１直流成分算出部３と第２直流成分算出部４における直流成分の算出方法を述べる。
図５は、多値データｘを直流成分を算出するための信号値ｙに変換するための変換表を示す図である。そのｘとｙには次の数２に示す演算式の関係がある。
【００２２】
【数２】
ｙ＝２×ｘ−７
【００２３】
数２の演算式に基づく演算処理で複数個の多値データを信号値に変換して加算すると、その加算値は複数個の多値データに対応する信号（多値データ信号）の直流成分を表す。そして、各種の光ディスクなどの記録媒体に記録する信号としては、その加算値を０に近づける必要がある。
そこで、この直流成分制御装置では、上述した２値データを２種類の方法で変換し、上記比較部５によって上記第１直流成分算出部３と第２直流成分算出部４からそれぞれ出力された信号値を比較し、その比較結果に基づいてその直流成分が０に近くなる方（近い方）を選択採用するように第１セレクタ６を切り替え、第１セレクタ６は上記第１変換部１又は上記第２変換部２からの信号のいずれかを第２セレクタ７へ出力する。
【００２４】
さらに、データ再生時にその採用した方の変換方法が分かるように、比較部５は第２セレクタ７へ上記２種類の変換方法を区別するデータ信号としてＰの初期値（０又は１）を送り、上記２種類の変換方法を区別するデータ信号としてＰの初期値（０又は１）を挿入して付加する。
【００２５】
図６は、変換後の多値データに変換方法を区別するデータ信号を付加したときのフォーマットを示す図である。
同図に示すように、８セット分の変換結果の多値データに、上記２種類の変換方法を区別するデータ信号としてＰの初期値（０又は１）を挿入して付加する。
従って、変換後の多値データ信号の直流成分の算出には、それまでに確定した多値データ信号の直流成分の値と、挿入した初期値も加算する。
次に、２種類の変換結果の直流成分の値を比較し、０に近いほうの変換結果を図１の第１セレクタ６で出力し、更に、第２セレクタ７で初期値を変換結果に接続して出力する。
【００２６】
このようにして、同一の２値データ系列を異なる２種類の変換方法で多値データ信号に変換し、直流成分が０に近い方の多値データ信号に２種類の変換方法を区別するデータ信号を付加しているので、付加したデータの誤りが変換結果に影響を与えない多値データ信号の直流成分制御ができる。
また、上述の多値データ信号の直流成分制御方法を回路として実現しているので、高速動作が可能になる。
【００２７】
次に、この直流成分制御装置におけるこの発明の請求項２と６に係る機能及び動作について説明する。
上記の第１実施形態の直流成分制御装置では、上記２種類の変換方法を区別するデータ信号として挿入するＰの初期値として０又は１を挿入しているが、それを多値データの最大値“７”と最小値“０”に対応させても良い。
このように、初期値は０と１の２値であるため、７と０にすると両者の信号値が離れているので、データ再生時のエラーの確率を低減できる。
このようにして、２種類の変換方法を区別するデータ信号を多値データの最大値と最小値であるため、付加したデータが誤る確率を低減することができる。
【００２８】
次に、この直流成分制御装置におけるこの発明の請求項４と８に係る機能及び動作について説明する。
図７は、多値データにおける隣接データの影響（符号間干渉）の説明に供する波形図である。
上述の第１実施形態の直流成分制御装置では、多値データｘを直流成分を算出するための信号値ｙに変換する時に、１個の多値データｘから算出しているが、実際には、図７に示すように、隣接データの影響（符号間干渉）がある。同図には、現データが“０”から“７”の時に、隣接データが共に“０”である時の再生信号の例を示しており、前データは“０”であるにもかかわらず、現データの影響で“０”ではない信号値になっている。この隣接データへの影響を、現データの比率で表して直流成分を算出しても良い。
【００２９】
以下に、その算出処理について説明する。
ここでは、説明を簡単にするために、隣接データの影響は前後対象であり、現データの値（０〜７）に無関係で一定であるとする。
もちろん、隣接データへの影響を前後非対象とし、現データの値（０〜７）毎に定義しても良い。その方が、より精度の高い直流成分算出が行える。
図８は、複数個の多値データｘ（ｊ）を直流成分を算出するための信号値ｙ（ｊ）に変換する計算時の各値の一覧を示す図である。
ここでは、隣接データへの影響の比率を０．２にした。まず、ｘ（ｊ）から符号間干渉を考慮した時のデータ値ｓ（ｊ）を求める。
ｘ１（１）の前の多値データは０にすると、次のデータ（５）の影響を受けるだけなので、ｓ１は次の数３に示す演算式に基づく演算処理で算出できる。
【００３０】
【数３】
ｓ１＝１＋０．２×５＝２．０
【００３１】
また、ｘ２（５）に対しては、前後のデータの影響を受けるので、ｓ２は次の数４に示す演算式に基づく演算処理で算出できる。
【００３２】
【数４】
ｓ２＝０．２×１＋５＋０．２×３＝５．８
【００３３】
一般に、ｓ（ｊ）は次の数５に示す演算式に基づく演算処理で算出できる。
【００３４】
【数５】
ｓ（ｊ）＝０．２×ｘ（ｊ−１）＋ｘ（ｊ）＋０．２×ｘ（ｊ＋１）
【００３５】
次に、ｓ（ｊ）のとり得る最大値と最小値の平均値ｚをｓ（ｊ）から減算する。符号間干渉を考慮しない時は、多値データの最大値（７）と最小値（０）の平均値（３．５）が“０”に近づくように（なるように）変換していたが、符号間干渉を考慮する時は、ｓ（ｊ）の最大値と最小値の平均値ｚが“０”に近づくように（なるように）変換する。
ここで、ｓ（ｊ）の最小値は“０”であり、ｓ（ｊ）の最大値は現データと前後データとが共に“７”の時に最大値になり、図８のｓ（５）＝９．８が最大値であるから、ｚ＝４．９である。したがって、次の数６に示す演算式に基づく演算処理でｙ（ｊ）を算出できる。
【００３６】
【数６】
ｙ（ｊ）＝ｓ（ｊ）−ｚ＝ｓ（ｊ）−４．９
【００３７】
以上の手順で求めたｙ（ｊ）を加算して多値データ信号の直流成分を求めると、符号間干渉を考慮したより正確な直流成分が算出できる。
このようにして、多値データ信号の直流成分の算出処理において、隣接する多値データへの影響を考慮しているので、より正確な直流成分の算出ができる。
【００３８】
次に、この直流成分制御装置におけるこの発明の請求項３と７に係る機能及び動作について説明する。
上述の第１実施形態では、２値データを多値データに変換する時の多値データ信号の直流成分制御方法および直流成分制御装置（直流成分制御回路）を示したが、以下では、この発明の第２実施形態として、入力が所定の多値データ系列である時の多値データ信号の直流成分制御方法および直流成分制御装置（直流成分制御回路）を示す。
この第２実施形態の直流成分制御装置は、公知技術のパターン認識によって多値データを検出する時に必要となる、テストデータを記録する時の直流成分制御を行う。
【００３９】
図９は、上記多値データとは別に記録媒体に記録するテストデータの一例を示す図である。
このテストデータは、同図に示すように、８値データが３シンボル連続する場合の全組合せ（８の３乗＝５１２通り）を記述したテストデータである。
符号間干渉が隣接する前後の多値データのみに影響する場合に、３シンボル連続する場合の全組合せを記述したテストデータを記録する。
また、符号間干渉が、前の２シンボル及び後の２シンボルのデータに影響する場合は、５シンボル連続する場合の全組合せ（８の５乗＝３２７６８通り）を記述したテストデータを記録する。
【００４０】
図１０は、直流成分を制御する場合のテストデータの並びのフォーマット例を示す図である。同図に示すように、テストデータを一定量毎に分割し、１個以上の多値データを挿入する。
図１１は、第２実施形態の直流成分制御装置の機能構成を示すブロック図である。この直流成分制御装置はこの発明の請求項３，４，７，８に係る。
この多値データ信号の直流成分制御装置は、直流成分算出部２１，挿入データ決定部２２，セレクタ２３からなり、その各部は、コンピュータプログラムによるソフトウェアで実現可能である。また、上述と同様にして回路としても実現できる。
すなわち、上記直流成分算出部２１が上述の直流成分算出手段の機能を、上記挿入データ決定部２２が上述の挿入多値データ決定手段の機能を、上記セレクタ２３が上述の多値データ挿入手段の機能をそれぞれ果たす。
【００４１】
まず、直流成分算出部２１に一定量（所定量）のテストデータの多値データ系列（多値データ）を入力したら、多値データを信号値に変換し、終端の多値データまでの直流成分を算出して出力する。さらに、挿入データ決定部２２において直流成分算出部２１で得られた直流成分値を０に近づけるように、所定量の多値データ毎に挿入する１個以上の多値データの値を決定する。その後、セレクタ２３によって一定量のテストデータ毎に上記決定した１個以上の多値データを挿入して出力する。
【００４２】
このようにして、所定量の多値データ毎に１個以上の多値データを挿入し、上記所定量の多値データ毎に対応する多値データ信号の直流成分を算出し、上記直流成分が０に近づくように挿入する多値データの値を決定しているので、テストパターンの記録時の多値データ信号の直流成分制御ができる。
また、上述の多値データ信号の直流成分制御方法を回路として実現しているので、高速動作が可能になる。
【００４３】
また、この第２実施形態の直流成分制御装置における直流成分の算出でも、上述の第１実施形態と同様にして、図８によって説明した算出処理を使用するとよい。
このようにして、多値データ信号の直流成分の算出処理において、隣接する多値データへの影響を考慮しているので、より正確な直流成分の算出ができる。
【００４４】
【発明の効果】
以上説明してきたように、この発明の多値データ信号の直流成分制御方法と直流成分制御装置によれば、多値データ信号の直流成分を制御するために付加した冗長データの再生時の誤りの影響を抑え、テストデータ及び所定の変換ルールに従って変換した多値データを記録する時の多値データ信号の直流成分制御を行えることができる。
【図面の簡単な説明】
【図１】この発明の第１実施形態である多値データ信号の直流成分制御装置の機能構成を示すブロック図である。
【図２】図１に示した第１変換部１と第２変換部２の回路構成例を示すブロック図である。
【図３】図１に示した第１変換部１と第２変換部２における変換処理の説明に供する図である。
【図４】同じく図１に示した第１変換部１と第２変換部２における変換処理の説明に供する図である。
【図５】多値データｘを直流成分を算出するための信号値ｙに変換するための変換表を示す図である。
【図６】変換後の多値データに変換方法を区別するデータ信号を付加したときのフォーマットを示す図である。
【図７】多値データにおける隣接データの影響（符号間干渉）の説明に供する波形図である。
【図８】複数個の多値データｘ（ｊ）を直流成分を算出するための信号値ｙ（ｊ）に変換する計算時の各値の一覧を示す図である。
【図９】多値データとは別に記録媒体に記録するテストデータの一例を示す図である。
【図１０】直流成分を制御する場合のテストデータの並びのフォーマット例を示す図である。
【図１１】この発明の第２実施形態の直流成分制御装置の機能構成を示すブロック図である。
【符号の説明】
１：第１変換部    ２：第２変換部
３：第１直流成分算出部
４：第２直流成分算出部
５：比較部
６：第１セレクタ  ７：第２セレクタ
１１：第１〜第（ｎ−ｋ）セレクタＡ
１２：変換回路    １３：セレクタＢ
２１：直流成分算出部
２２：挿入データ決定部
２３：セレクタ
【図１】
2004272979.tif 000003
【図２】
2004272979.tif 000004
【図３】
2004272979.tif 000005
【図４】
2004272979.tif 000006
【図５】
2004272979.tif 000007
【図６】
2004272979.tif 000008
【図７】
2004272979.tif 000009
【図８】
2004272979.tif 000010
【図９】
2004272979.tif 000011
【図１０】
2004272979.tif 000012
【図１１】
2004272979.tif 000013